(57)【要約】本発明の或る実施形態では、装置（１０６）、システム（１００）、コンピュータ読み取り可能媒体、及び方法は、近距離無線ネットワーク（１１６）内の単数及び／又は複数の装置の状態情報を提供する。近距離無線ネットワーク内の各装置の受信信号の品質及び／又は利用可能な電池電力の様な状態情報は、本発明の或る実施形態によれば、表示装置を有する装置（１０６）に提供される。状態情報は、本発明の或る実施形態では、簡単に目に見え且つ望ましい型式で選択的に表示される。
2005533401.tif 000002
【特許請求の範囲】
【請求項１】
処理装置において、
（ａ）記憶装置と、
（ｂ）前記記憶装置に連結されたプロセッサと、を備えており
（ｃ）前記記憶装置は、第１の短距離無線信号に応えて、第１の装置の状態情報を通知するための第１ソフトウェア構成要素を記憶していることを特徴とする処理装置。
【請求項２】
前記処理装置はセルラー電話であることを特徴とする請求項１に記載の処理装置。
【請求項３】
前記処理装置はセルラーモデムであることを特徴とする請求項１に記載の処理装置。
【請求項４】
前記第１装置は、デスクトップコンピュータ、ラップトップコンピュータ、携帯情報端末、ヘッドセット、ページャ、プリンタ、時計、デジタルカメラ、及び等価物から成る群から選択されることを特徴とする請求項１に記載の処理装置。
【請求項５】
前記第１装置は、薄型端末及びスマート端末から成る群から選択されることを特徴とする請求項１に記載の処理装置。
【請求項６】
前記処理装置は、短距離無線プロセッサ、及び２．４ＧＨＺトランシーバを含んでいることを特徴とする請求項１に記載の処理装置。
【請求項７】
前記処理装置は、短距離無線プロセッサ、及び５．７ＧＨＺトランシーバを含んでいることを特徴とする請求項１に記載の処理装置。
【請求項８】
ソフトウェア構成要素は、第２の短距離無線信号に応えて、第２装置の状態を通知することを特徴とする請求項１に記載の処理装置。
【請求項９】
前記処理装置、前記第１装置、及び前記第２装置は、近距離無線ネットワークを形成していることを特徴とする請求項８に記載の処理装置。
【請求項１０】
前記処理装置、前記第１装置、及び前記第２装置は、８０２．１１ネットワークを形成していることを特徴とする請求項８に記載の処理装置。
【請求項１１】
前記処理装置、前記第１装置、及び前記第２装置は、ＢｌｕｅｔｏｏｔｈTMネットワークを形成していることを特徴とする請求項８に記載の処理装置。
【請求項１２】
前記処理装置、前記第１装置、及び前記第２装置は、近距離無線ネットワークを形成していることを特徴とする請求項８に記載の処理装置。
【請求項１３】
前記第１装置に関する状態情報は、前記第１装置の利用可能な電池電力を含んでいることを特徴とする請求項１に記載の処理装置。
【請求項１４】
前記第１装置に関する状態情報は、前記第１装置の利用可能な作動時間を含んでいることを特徴とする請求項１に記載の処理装置。
【請求項１５】
前記第１装置に関する状態情報は、近距離無線ネットワークからの受信信号の品質を含んでいることを特徴とする請求項９に記載の処理装置。
【請求項１６】
前記第１装置に関する状態情報は、セルラーネットワークからの受信信号の品質を含んでいることを特徴とする請求項１に記載の処理装置。
【請求項１７】
前記セルラーネットワークは、移動通信用グローバルシステムプロトコル、コード分割多重アクセスプロトコル、コード分割多重アクセス２０００プロトコル、ユニバーサル移動遠距離通信システムプロトコル、時分割多重アクセスプロトコル、ジェネラルパケットラジオサービス、及び等価物から成る群より選択されたセルラープロトコル信号を生成することを特徴とする請求項１に記載の処理装置。
【請求項１８】
前記状態情報は計算されることを特徴とする請求項１に記載の処理装置。
【請求項１９】
前記計算された状態情報は、前記第１装置のビットエラー率から計算された受信信号表示を含んでいることを特徴とする請求項１８に記載の処理装置。
【請求項２０】
前記計算された状態情報は、前記第１装置の信号強度から計算された受信信号表示を含んでいることを特徴とする請求項１８に記載の処理装置。
【請求項２１】
前記状態情報は、前記処理装置及び前記第１装置の選択された最小電池レベル状態を含んでいることを特徴とする請求項１に記載の処理装置。
【請求項２２】
前記記憶装置は、前記状態情報を入手するために、前記第１装置をポーリングするための第２のソフトウェア構成要素を記憶することを特徴とする請求項１に記載の処理装置。
【請求項２３】
前記第１の短距離無線信号は、前記第１装置からの周期的に生成された状態情報を含んでいることを特徴とする請求項１に記載の処理装置。
【請求項２４】
前記記憶装置は、ユーザー選択に応えて前記第１装置の状態情報を入手するための第２のソフトウェア構成要素を記憶していることを特徴とする請求項１に記載の処理装置。
【請求項２５】
前記第１の短距離無線信号は、第１装置の事象に応えて前記第１装置から生成された状態情報を含んでいることを特徴とする請求項１に記載の処理装置。
【請求項２６】
前記第１装置の事象は、前記第１装置の残存電力が事前設定値より下に下がるということを含んでいることを特徴とする請求項２５に記載の処理装置。
【請求項２７】
前記第１装置の事象は、前記第１装置の受信信号品質が事前設定値より下に下がるということを含んでいることを特徴とする請求項２５に記載の処理装置。
【請求項２８】
近距離無線ネットワーク内で状態情報を提供するためのシステムにおいて、
（ａ）状態情報が入っている第１の短距離無線信号を生成するための第１装置と、
（ｂ）前記短距離無線信号を受信して状態情報を通知するための第２の装置と、を備えていることを特徴とするシステム。
【請求項２９】
前記第１装置と前記第２装置は、短距離無線プロセッサ及び短距離無線トランシーバを含んでいることを特徴とする請求項２８に記載のシステム。
【請求項３０】
（ｃ）状態情報が入っている第２の短距離無線信号を提供する第３の装置を更に備えており、前記第２装置は、前記第２の短距離無線信号を受信して前記第３装置の状態情報を通知することを特徴とする請求項２８に記載のシステム。
【請求項３１】
前記第１装置、前記第２装置、及び第３装置は、近距離無線ネットワークを形成していることを特徴とする請求項３０に記載のシステム。
【請求項３２】
前記状態情報は、前記第１装置の残存電力を含んでいることを特徴とする請求項２８に記載のシステム。
【請求項３３】
前記状態情報は、前記第１装置の受信信号の品質を含んでいることを特徴とする請求項２８に記載のシステム。
【請求項３４】
前記状態情報は、前記第１装置に関する計算された状態情報を含んでいることを特徴とする請求項２８に記載のシステム。
【請求項３５】
前記状態情報は、前記第１装置と前記第２装置からの選択された最小電池状態を含んでいることを特徴とする請求項２８に記載のシステム。
【請求項３６】
前記第１装置は、前記状態情報を入手するために、前記第２装置をポーリングするためのソフトウェア構成要素を含んでいることを特徴とする請求項２８に記載のシステム。
【請求項３７】
前記第１短距離無線信号は、前記第１装置から周期的に生成されることを特徴とする請求項２８に記載のシステム。
【請求項３８】
前記第２装置は、ユーザー選択に応えて前記第１装置の状態情報を入手することを特徴とする請求項２８に記載のシステム。
【請求項３９】
前記第１装置は、第１装置の事象に応えて、状態情報を生成することを特徴とする請求項２８に記載のシステム。
【請求項４０】
前記第１装置の事象は、前記第１装置の残存電力が事前設定値より下に下がるということを含んでいることを特徴とする請求項３９に記載のシステム。
【請求項４１】
前記第１装置の事象は、前記第１装置の受信信号の品質が事前設定値より下に下がるということを含んでいることを特徴とする請求項３９に記載のシステム。
【請求項４２】
コンピュータ読取り可能媒体を含む製造製品において、
（ａ）近距離無線ネットワーク内の短距離無線信号を受信するための短距離無線ソフトウェア構成要素と、
（ｂ）前記近距離無線ネットワーク内の第１装置と第２装置の状態情報を通知するための通知ソフトウェア構成要素と、を備えていることを特徴とする製造製品。
【請求項４３】
近距離無線ネットワーク内の状態情報を提供するための方法において、
（ａ）短距離無線信号に応えて近距離無線ネットワーク内の装置の状態情報を入手する段階と、
（ｂ）状態情報通知優先に応えて状態情報を通知する段階と、から成ることを特徴とする方法。
【請求項４４】
前記状態情報は、状態情報型式値に応えて計算されることを特徴とする請求項４３に記載の方法。
【発明の詳細な説明】
【技術分野】
【０００１】
本発明は概括的にはネットワーク内で情報を入手することに関する。
【背景技術】
【０００２】
ユーザーは、広域ネットワーク（ＷＡＮ）、ローカルエリアネットワーク（ＬＡＮ）、又は近距離無線ネットワークの様なネットワーク内の装置の状態情報を入手することに関心がある。
【０００３】
セルラー電話の様な無線通信装置は、通常はＷＡＮ又は通信ネットワークのノードである。セルラー電話は、ラップトップ、プリンタ、携帯情報端末（ＰＤＡ）、及び／又はヘッドセットの様な他のユーザー装置と通信するための、ＬＡＮ又は近距離無線ネットワークの一部でもある。例えば、ＢｌｕｅｔｏｏｔｈTMテクノロジー（www.Bluetooth.com）は、装置間の無線通信を提供している。
【０００４】
ユーザーは、通常、近距離無線ネットワーク内の装置に関する状態情報を得るのが難しい。
【０００５】
第１に、近距離無線ネットワーク内の各装置は、ユーザーに目に見える状態情報を提供することができない。例えば、ヘッドセットには、通常、目に見える状態情報を表示する表示装置がない。ユーザーが近距離無線ネットワークの範囲から移動して外れると、ユーザーは、ヘッドセットの受信する信号がほどなく少なくなるか又は無くなるのを、音声受信が歪むか又は低下してしまうまで視認することはできない。
【０００６】
第２に、近距離無線ネットワークは、異なる種類の状態情報を有する比較的多数の装置を含んでいることが多い。ユーザーは、通常、各装置の状態を評価するためには、物理的にその装置のところまで行かねばならない。例えば、プリンタが所望のファイルを印刷していない場合は、プリンタに問題（例えば、プリンタ電源オフ、用紙切れ、近距離無線ネットワーク信号受信なし）が発生しているかどうかを判断するために、プリンタの場所、並びに印刷ジョブを送信している装置の場所まで行かねばならなくなる。更に、装置は簡単に又は容易にそうできない場合もある。例えば、装置によってはバックパックの中や机の中にあったりする。
【０００７】
第３に、近距離無線ネットワーク装置は、状態情報を提供するが、好適な型式の情報ではないこともある。装置は、電池の残存電力を表示するが、残り作動時間を表示しないかもしれない。
【０００８】
第４に、近距離無線ネットワーク装置は、適時に及び／又は簡単に視認可能なフォーマットで、関連状態情報を提供することもできていない。装置は、信号が低下した後になって初めて、装置が信号を受信できなくなった旨を示す状態情報を提供する。同様に、ユーザーは、全ての状態情報に興味があるわけではなく、何時、どんな状態情報が提供されるかを選択したいはずである。
【０００９】
第５に、近距離無線ネットワーク装置は、自身の状態情報を提供するが、ユーザーは、近距離無線ネットワーク内の全ての装置の、単独で又は様々に組み合わせた場合の状態情報に興味があるのかもしれない。例えば、ユーザーは、２つ又はそれ以上の装置を有する近距離無線ネットワーク内のハンドセットとヘッドセット両方の組合せた残存電池電力に興味があるかもしれない。
【００１０】
従って、ユーザーが近距離無線ネットワーク内の装置から状態情報を入手できるようになる装置、システム、コンピュータ読取り可能媒体、並びに方法を提供することが望ましい。更に、近距離無線ネットワーク内の選択された装置の、簡単に視認可能なフォーマットでの適時且つ好ましい状態情報を提供することが望ましい。
【発明の開示】
【課題を解決するための手段】
【００１１】
処理装置は、第１短距離無線信号に応えて、ユーザーに、近距離無線ネットワーク内の第１の装置の状態情報を通知する。処理装置は、プロセッサに接続された記憶装置を備えている。記憶装置は、ユーザーに第１装置の状態情報を通知するための第１のソフトウェア構成要素を記憶している。
【００１２】
本発明の或る実施形態によれば、処理装置はセルラー電話又はセルラーモデムである。
【００１３】
本発明の或る実施形態によれば、第１装置はセルラー電話又はセルラーモデムである。
【００１４】
本発明の或る実施形態によれば、第１装置は、デスクトップコンピュータ、ラップトップコンピュータ、携帯情報端末、ヘッドセット、ページャ、プリンタ、時計、デジタルカメラ、及び等価物から成る群から選択される。
【００１５】
本発明の或る実施形態によれば、処理装置は、短距離無線プロセッサ、及び２．４ＧＨＺトランシーバ又は５．７ＧＨＺトランシーバを含んでいる。
【００１６】
本発明の或る実施形態によれば、ソフトウェア構成要素は、第２短距離無線信号に応えて、ユーザーに、第２の装置の状態情報を通知する。
【００１７】
本発明の或る実施形態によれば、処理装置、第１装置、及び第２装置は、近距離無線ネットワークを形成する。
【００１８】
本発明の或る実施形態によれば、処理装置、第１装置、及び第２装置は、８０２．１１ネットワークを形成する。
【００１９】
本発明の或る実施形態によれば、処理装置、第１装置、及び第２装置は、ＢｌｕｅｔｏｏｔｈTMネットワークを形成する。
【００２０】
本発明の別の実施形態によれば、第１装置に関する状態情報は第１装置の利用可能な電池電力を含んでいる。
【００２１】
本発明の或る実施形態によれば、第１装置に関する状態情報は、第１装置の利用可能な作動時間を含んでいる。
【００２２】
本発明の或る実施形態によれば、第１装置に関する状態情報は、近距離無線ネットワークからの受信信号の品質を含んでいる。
【００２３】
本発明の或る実施形態によれば、第１装置に関する状態情報は、セルラーネットワークからの受信信号の品質を含んでいる。本発明の或る実施形態では、受信信号の品質は、信号強度及び／又は信号のビットエラー率である。
【００２４】
本発明の更に別の実施形態によれば、処理装置に連結されたセルラーネットワークは、移動通信用グローバルシステム（ＧＳＭ）プロトコル、コード分割多重アクセス（ＣＤＭＡ）プロトコル、ＣＤＭＡ２０００プロトコル、ユニバーサル移動遠隔通信システム（ＵＭＴＳ）プロトコル、時分割多重アクセス（ＴＤＭＡ）プロトコル、ジェネラルパケットラジオサービス（ＧＰＲＳ）、又は等価物から成る群より選択されたセルラープロトコル信号を生成する。
【００２５】
本発明の或る実施形態によれば、状態情報は処理装置により計算される。計算された状態情報は、第１装置のビットエラー率及び／又は第１装置の信号強度から計算された受信信号品質表示を含んでいる。
【００２６】
本発明の或る実施形態によれば、状態情報は、処理装置及び第１装置の選択された最小電池状態を含んでいる。
【００２７】
本発明の或る実施形態によれば、記憶装置は、状態情報を入手するために、第１装置をポーリングするための第２ソフトウェア構成要素を記憶する。
【００２８】
本発明の或る実施形態によれば、第１の短距離無線信号は、第１装置からの周期的に生成された状態信号を含んでいる。
【００２９】
本発明の或る実施形態によれば、記憶装置は、ユーザー選択に応えて第１装置の状態情報を入手するための第２ソフトウェア構成要素を記憶している。
【００３０】
本発明の或る実施形態によれば、第１短距離無線信号は、第１装置の事象に応えて第１装置から生成された状態情報を含んでいる。
【００３１】
本発明の或る実施形態によれば、第１装置事象は、第１装置の残存電力が閾値より下がるという事象を含んでいる。
【００３２】
本発明の或る実施形態によれば、第１装置事象は、第１装置の受信信号の品質が閾値より下がるという事象を含んでいる。
【００３３】
本発明の或る実施形態によれば、近距離無線ネットワーク内で状態情報を提供するためのシステムが提供されている。本システムは、状態情報が入っている第１の短距離無線信号を発生するための第１装置と、短距離無線信号を受信してユーザーに状態情報を通知するための第２装置を備えている。
【００３４】
本発明の或る実施形態によれば、第１装置と第２装置は、短距離無線プロセッサ及び短距離無線トランシーバを含んでいる。
【００３５】
本発明の或る実施形態によれば、本システムは、状態情報が入っている第２の短距離無線信号を提供する第３の装置を更に備えている。第２装置は第２の短距離無線信号を受信して、ユーザーに第３装置の状態情報を通知する。
【００３６】
本発明の或る実施形態によれば、状態情報を提供するためのコンピュータ読み取り可能媒体を含んでいる製造製品を提供する。製品製造は、近距離無線ネットワーク内の無線信号を受信するための短距離無線ソフトウェア構成要素を備えている。通知用ソフトウェア構成要素は、近距離無線ネットワーク内の装置の状態情報を通知する。
【００３７】
本発明の或る実施形態によれば、近距離無線ネットワーク内の装置の状態情報を入手するための方法が提供される。本方法は、ユーザーが選択した値、即ちユーザー状態情報閾値、ユーザー状態情報型式値、ユーザー状態情報通知優先値、を取得する段階を備えている。近距離無線ネットワーク内の装置からの状態情報は、選択された値に応えて、入手されユーザーに提供される。
【発明を実施するための最良の形態】
【００３８】
本発明のこの他の態様及び利点は、図面、以下の詳細な説明、並びに特許請求の範囲の内容を参照することにより理解頂けるであろう。
【００３９】
Ｉ．システム概観
以下の説明及び請求の範囲の内容は、本発明の或る実施形態による近距離無線ネットワーク内の１つ又は複数の装置の状態情報を提供するための装置、システム、コンピュータ読み取り可能媒体、及び方法に関する。
【００４０】
本発明の或る実施形態では、近距離無線ネットワークとは、比較的小さな物理的区域に亘る、パーソナルコンピュータ又は無線ヘッドセットの様な処理装置のネットワークであり、少なくとも１つの装置がネットワーク内の別の装置と通信するために短距離無線信号を生成し受信するネットワークである。本発明の或る実施形態では、短距離無線信号は、約０から約１０００フィートの間を伝播することができる。近距離無線ネットワークの一例としては、ＢｌｕｅｔｏｏｔｈTM、ＨｏｍｅＲＦ，８０２．１１技術により形成された装置の単独での又は組み合わせによるネットワーク、又はその等価物が挙げられる。本発明の或る実施形態では、近距離無線ネットワーク内の各処理装置は、処理装置メモリに記憶されたソフトウェア構成要素を実行する自身の処理装置を有しているが、近距離無線ネットワーク上のデータ及び装置にアクセスすることもできる。本発明の或る実施形態では、取り分けイーサネットでは、配線によって、近距離無線ネットワーク内の２つ又はそれ以上の処理装置の間の通信を行う。或る別の実施形態では、電磁信号によって、近距離無線ネットワーク内の１つ又はそれ以上の処理装置の間の無線通信を行う。更に別の実施形態では、配線と電磁信号の両方によって、近距離無線ネットワーク内の処理装置間の通信を行う。
【００４１】
本発明の或る実施形態では、ＷＡＮは比較的広い距離に亘って接続された複数のＬＡＮ及び／又は近距離無線ネットワークを含んでいる。電話回線及び電磁信号は、単独で又は共同で、ＷＡＮ内のＬＡＮ及び／又は近距離無線ネットワークを連結する。本発明の或る実施形態では、ＷＡＮ１０５は、セルラー信号１１１を生成し受信するセルラーネットワークを含んでいる。本発明の或る実施形態では、セルラーネットワークは、地理的領域をセルと呼ばれる区画に分割する通信システムとして定義される。本発明のアナログ実施形態では、この分割の目的は、限定された数の送信周波数を最大限に活用することである。本発明のアナログ実施形態では、各接続、又は例えば会話は、それ専用の周波数を必要とし、利用可能周波数の合計数は約１０００である。１０００を超える同時会話をサポートするため、セルラーシステムは、各セル毎に或る設定数の周波数を割り当てる。２つのセルは、互いに隣接していない限り、別々の会話に同一周波数を使用することができる。
【００４２】
図１は、本発明の或る実施形態によるシステム１００を示している。システム１００は、無線装置１０６に連結された端末１０７を含んでいる。本発明の或る実施形態では、装置１０６及び１つ又は複数の端末１０７は、通信して近距離無線ネットワーク１１６を形成する。本発明の或る実施形態では、端末１０７は、短距離無線信号１１０により装置１０６に連結され、近距離無線ネットワーク１１６を形成する。本発明の或る実施形態では、端末１０７の幾つか或いは全ては、有線接続を有している。本発明の或る実施形態では、端末１０７としては、時計１０７ａ、ＰＤＡ１０７ｂ、ヘッドセット（Ｈｄｓｔ）１０７ｃ、及びラップトップコンピュータ１０７ｄが挙げられる。或る別の実施形態では、近距離無線ネットワーク１１６内で、もっと少ないか又はもっと多い端末が使用される。或る別の実施形態では、端末１０７としては、デスクトップコンピュータ、ページャ、プリンタ、薄型端末、メッセージ用端末、デジタルカメラ、又は等価物を挙げることができる。本発明の或る実施形態では、端末１０７はＢｌｕｅｔｏｏｔｈTM２．４ＧＨｚ送信器／受信器を含んでいる。同様に、装置１０６はＢｌｕｅｔｏｏｔｈTM２．４ＧＨｚ送信器／受信器を含んでいる。本発明の或る別の実施形態では、ＢｌｕｅｔｏｏｔｈTM５．７ＧＨｚ送信器／受信器が使用されている。装置１０６と端末１０７用のハードウェアは、図３ａ−ｂの本発明の実施形態に示している。
【００４３】
本発明の或る別の実施形態では、８０２．１１又はＨｏｍｅＲＦ信号の様な他のローカル無線技術を使用して、装置１０６と端末１０７の通信を行なう。
【００４４】
本発明の或る実施形態では、ＷＡＮ１０５は装置１０６に連結されている。本発明の或る実施形態では、ＷＡＮ１０５は、セルラー信号１１１を送受信するセルラーネットワークを含んでいる。本発明の或る実施形態では、セルラー信号１１１は、移動通信用のグローバルシステム（ＧＳＭ）プロトコルの様なプロトコルを使って送信される。別の実施形態では、コード分割多重アクセス（ＣＤＭＡ）、ＣＤＭＡ２０００、ユニバーサル移動遠隔通信システム（ＵＭＴＳ）、時分割多重アクセス（ＴＤＭＡ）、ジェネラルパケットラジオサービス（ＧＰＲＳ）プロトコル、又は等価物を使用する。
【００４５】
本発明の或る実施形態では、ＷＡＮ１０５は、キャリアバックボーン１０４、サーバ１０１−１０２、及びインターネット１０３を含んでいる。本発明の或る実施形態では、図１に示す構成要素の間で、ＩＰパケットが送信される。本発明の別の実施形態では、図１に示す構成要素の間で、他のパケット型式が送信される。
【００４６】
本発明の或る実施形態では、ＷＡＮ１０５は、仮想私設ネットワーク（ＶＰＮ）を使用する企業保護型ネットワークの様なＩＰ公衆又は私設ネットワークを含んでいる。
【００４７】
本発明の或る別の実施形態では、装置１０６は、イーサネット、デジタル加入者回線（ＤＳＬ）、又はケーブルモデム接続などで、単独又は組み合わせて、ＷＡＮに連結されている。
【００４８】
本発明の或る実施形態では、装置１０６はセルラーハンドセット又は電話である。本発明の或る実施形態では、装置１０６はセルラー使用可能ＰＤＡ、無線モデム、及び／又は無線ラップトップコンピュータである。
【００４９】
本発明の或る実施形態では、ＷＡＮ１０５は、無線搬送波内部ネットワーク又は搬送波バックボーン１０４に接続されている。本発明の或る実施形態では、サーバ１０２は搬送波バックボーン１０４に接続されている。本発明の或る別の実施形態では、搬送波バックボーン１０４は、インターネット１０３に連結されている。サーバ１０１は、インターネット１０３に連結されている。本発明の或る実施形態では、サーバ１０１及び１０２は、ウェブページ又はアプリケーションソフトウェア構成要素の様な情報を、装置１０６で端末１０７に提供する。本発明の或る実施形態では、各端末１０７は、装置１０６を使ってサービスと通信を共有している。
【００５０】
II．ハンドヘルド装置／端末ハードウェア
図２は、端末１０７と装置１０６の実施形態を示している。本発明の或る実施形態では、１）スマート端末と２）薄型端末の２種類の端末がある。本発明の或る別の実施形態では、スマート端末はユーザー論理とアプリケーションを実行する。スマート端末は、比較的強力な処理装置、オペレーティングシステム、及びアプリケーションを有している。近距離無線ネットワーク１０６からのそれらの主な必要性は、ＴＣＰ／ＩＰ並びに記憶や実行の様な他のネットワークサービスを通したＷＡＮ１０５へのアクセスである。例えば、ラップトップコンピュータ１０７ｄ及びＰＤＡ１０７ｂはスマート端末である。薄型端末は、比較的低出力の処理装置及びオペレーティングシステムを有している。それらは、主にネットワーク内のアプリケーションサーバに対する周辺機器として使用され、それらの主なタスクは、ユーザー対話、ユーザーへの出力のレンダリング、及びアプリケーションサーバにユーザー入力を提供することである。例えば、時計１０７ａ又はメッセージ用端末は薄型端末でもよい。
【００５１】
図２は、本発明の或る実施形態における薄型端末とセルラーモデムを示している。音声端末２０４は、表示装置２０４ｂと格納式キーパッド２０４ａを含んでいる。メッセージ用端末２０３には、これを開閉するために使用されるヒンジ２０３ａが有り、閉じた状態で示されている。端末２０３は、開くと、ミニチュアのＱＷＥＲＴＹキーボードと表示装置を備えている。本発明の或る実施形態では、装置２０１はセルラーモデムであり、ベルト用のクリップ２０２を含んでいる。
【００５２】
図３ａは、本発明の或る実施形態における装置１０６のハードウェアブロック図を示している。装置１０６は、内部メモリと取り外し可能メモリの両方を含んでいる。具体的には、装置１０６は、内部ＦＬＡＳＨ（又は電気的に消去可能でプログラム可能な読出し専用メモリ（ＥＥＰＲＯＭ））と、スタティックランダムアクセスメモリ（ＳＲＡＭ）３０２、３０３、それぞれを含んでいる。本発明の或る実施形態では、取り外し可能ＦＬＡＳＨメモリ３０４も使用される。メモリ３０２、３０３、及び３０４は、バス３０５に連結されている。本発明の或る実施形態では、バス３０５はアドレス及びデータバスである。アプリケーションプロセッサ３０１は、同じくバス３０５に連結されている。本発明の或る実施形態では、プロセッサ３０１は３２ビットプロセッサである。
【００５３】
ＢｌｕｅｔｏｏｔｈTMプロセッサ３０７も、バス３０５に連結されている。ＢｌｕｅｔｏｏｔｈTMＲＦ回路３０９は、ＢｌｕｅｔｏｏｔｈTMプロセッサ３０７とアンテナ３１３に連結されている。プロセッサ３０７、ＲＦ回路３０９、並びにアンテナ３１３は、図１に示す端末１０７又は図３に示す装置３５０に対して、短距離無線信号を送受信する。
【００５４】
デジタル回路３０６、アナログ回路３０８、送信器３１０、受信機３１１及びアンテナ３１２を使って、ＧＳＭの様なセルラーの信号が送受信される。デジタル回路３０６は、バス３０５に連結されている。別の実施形態では、装置１０６は、表示装置、スピーカ、マイクロフォン、キーパッド、タッチスクリーン、を単独又は組み合わせて含んでいる。
【００５５】
図３ｂは、本発明の或る実施形態におけるハンドヘルド装置である装置３５０を示している。本発明の或る実施形態では、装置３５０は、図１に示す端末１０７の１つである。装置１０６と同様に、装置３５０は、ＳＲＡＭとＦＬＡＳＨメモリ、３５１と３５２、それぞれを含んでいる。メモリ３５１と３５２は、バス３５７に連結されている。キーパッド３５３もバス３５７に連結されている。短距離無線信号は、ＢｌｕｅｔｏｏｔｈTMプロセッサ及びＢｌｕｅｔｏｏｔｈTMＲＦ回路３５５を使って送受信される。アンテナ３５６は、ＢｌｕｅｔｏｏｔｈTMＲＦ回路３５５に連結されている。本発明の或る実施形態では、アンテナ３５６は、短距離無線信号を送受信する。別の実施形態では、装置３５０は、表示装置、スピーカ、マイクロフォン、キーボード及びタッチスクリーンを、単独又は組み合わせて含んでいる。当業者には自明のように、本発明の別の実施形態では、装置３５０には他のハードウェア構成要素を設けてもよい。例えば、装置３５０がラップトップコンピュータ１０７ｄであるような実施形態では、ディスクドライブ及び他の入出力構成要素が在る。
【００５６】
III．ソフトウェア
図４は、本発明の或る実施形態による、図３ａに示す装置１０６のソフトウェア−アーキテクチャ５００を示している。ソフトウェア５００は、ＦＬＡＳＨメモリ３０２に記憶されている。本発明の或る実施形態では、図４に示すソフトウェア構成要素は、ソフトウェアプログラム、ソフトウェアオブジェクト、ソフトウェア関数、ソフトウェアサブルーチン、ソフトウェア方法、ソフトウェアインスタンス、及びコードフラグメントの、単独又は組み合わせを表している。或る別の実施形態では、図４に示すソフトウェアにより実行される機能は、ハードウェアで完全に又は部分的に実行される。
【００５７】
本発明の或る実施形態では、ソフトウェア５００又はソフトウェア５００の構成要素は、コンピュータ読み取り可能媒体の様な製造製品に記憶される。例えば、ソフトウェア５００は、磁気ハードディスク、光学ディスク、フロッピィディスク、ＣＤ−ＲＯＭ（コンパクトディスク読出し専用メモリ）、ＲＡＭ（ランダムアクセスメモリ）、ＲＯＭ（読出し専用メモリ）、ＦＬＡＳＨ、電気的に消去可能でプログラム可能な読出し専用メモリ（ＥＥＰＲＯＭ）、又は他の読出し可能又は書き込み可能なデータ記憶技術を、単独又は組み合わせて使用して記憶される。更に別の実施形態では、ソフトウェア５００又はその構成要素は、図１に示すサーバ１０２からダウンロードされる。
【００５８】
ソフトウェア５００は、遠隔通信ソフトウェア又は物理層プロトコルスタック、具体的には、セルラー通信ソフトウェア５０３及び短距離無線通信ソフトウェア５０２を含んでいる。或る実施形態では、通信ソフトウェア５０３は、ＧＰＲＳベースバンドソフトウェア構成要素をプロセッサ３０６で使用してセルラー信号を送受信するものである。或る実施形態では、通信ソフトウェア５０２は、プロセッサ３０７で使用して短距離無線信号を送受信するＢｌｕｅｔｏｏｔｈTMベースバンドソフトウェア構成要素である。他のベースバンド５０１により示されるように、他の遠隔通信ソフトウェアを使用してもよい。
【００５９】
本発明の或る実施形態では、オペレーティングシステム（ＯＳ）４０３を使用して、遠隔通信ソフトウェア５０２及び５０３と通信する。本発明の或る実施形態では、オペレーティングシステム４０３は、Ｌｉｎｕｘオペレーティングシステム、英国ロンドンのＳｙｍｂｉａｎソフトウェアから入手可能なＥＰＯＣオペレーティングシステム、又はワシントン、レッドモンドのＭｉｃｒｏｓｏｆｔコーポレーションから入手可能なＳｔｉｎｇｅｒオペレーティングシステム、又はアラバマ州、モービルのＡｃｃｅｌｅｒａｔｅｄテクノロジー社から入手可能なＮｕｃｌｅｕｓオペレーティングシステムである。オペレーティングシステム４０３は、ハードウェアを管理し、装置ソフトウェア構成要素の実行空間を使用可能にする。
【００６０】
媒体抽象層５０４は、オペレーティングシステム４０３が、ベースバンド５０３、５０２、５０１、それぞれと通信できるようにしている。本願に記載の媒体抽象層５０４と他の抽象層は、ＧＰＲＳの様な特定の通信プロトコルを、装置及び／又は端末が使用する標準コマンドセットに変換する。抽象層の目的は、装置のソフトウェア構成要素の残りから物理的スタックを隔離することである。これは、上層のソフトウェアの何れをも変更することなしに、異なる物理スタックの将来的な使用を可能にし、装置ソフトウェアがどんな通信プロトコルでも作動できるようにする。
【００６１】
本発明の或る実施形態によれば、状態情報入手ソフトウェア構成要素４０４、状態情報計算ソフトウェア４０５、及び状態情報通知ソフトウェア構成要素４０６を使用して、近距離無線ネットワーク内の端末／装置の状態情報を提供する。本発明の或る別の実施形態では、ソフトウェア構成要素４０４、４０５、４０６は、組み合わせられ、及び／又はより多くのソフトウェア構成要素に分割される。
【００６２】
本発明の或る実施形態では、状態情報入手ソフトウェア構成要素４０４は、図１に示す各端末１０７から状態情報を入手する。本発明の或る実施形態では、近距離無線ネットワーク１１６内の各端末の状態情報が入っている短距離無線信号を生成及び受信するため、状態情報入手ソフトウェア構成要素４０４は、装置１０６のハードウェア構成要素上で実行される。本発明の或る実施形態では、状態情報入手４０４、オペレーティングシステム４０３、及びＢｌｕｅｔｏｏｔｈTMＢａｓｅｂａｎｄソフトウェア構成要素５０２を使用して、状態情報が入っている短距離無線信号１１０を生成及び受信する。状態情報としては、例えば、特定の端末の利用可能電池電力、及び／又は本発明の或る実施形態の各端末の受信信号の品質を挙げることができる。受信信号の品質は、近距離無線ネットワーク１１６で通信に使用される短距離無線信号１１０の品質、及び／又はＷＡＮ１０５から装置１０６が受信したセルラー信号１１１の品質である。本発明の別の実施形態では、他の状態情報が入手される。例えば、状態情報としては、近距離無線ネットワーク１１６内のプリンタが印刷ジョブを完了しつつある旨を挙げることもできる。
【００６３】
或る別の実施形態では、状態情報入手４０４は、端末に記憶され、装置１１６から受信信号品質（セルラー信号１１１）の様な状態情報を入手する。
【００６４】
本発明の各種実施形態では、状態情報入手ソフトウェア構成要素４０４は、端末１０７から状態情報を入手する。
【００６５】
本発明の第１の実施形態では、状態情報入手ソフトウェア構成要素４０４は、端末１０７を周期的にポーリングすることにより状態情報を入手する。装置１０６は、端末状態情報を入手するため、短距離無線信号１１０を使用することにより端末をポールする。周期Ｔ、即ち端末１０７をポーリングする間隔は、求められる状態情報の種類に基づいて選択される。例えば、比較的に変化の頻度が低い電力状態をポールする場合、周期Ｔは、１分間のように比較的長い。対照的に、受信信号の品質状態が端末１０７によりポールされる場合は、周期Ｔは、１秒のように比較的短い。
【００６６】
本発明の第２の実施形態では、状態情報入手ソフトウェア構成要素４０４は、端末が状態情報を周期的にプッシュすることにより状態情報を入手する。
【００６７】
本発明の第３の実施例では、状態情報入手ソフトウェア構成要素４０４は、ユーザー選択に応えて端末１０７から状態情報を入手する。例えば、ユーザーが電力状態ボタンを押すと、ソフトウェア構成要素４０４は、選択された単数及び／又は複数の端末１０７の電力状態を入手し、そして最終的にはそれを表示するために、端末１０７をポールする。
【００６８】
本発明の第４の実施形態では、状態情報入手ソフトウェア構成要素４０４は、端末事象に応えて、端末１０７が状態情報を生成することにより状態情報を入手する。例えば、ＰＤＡ１０７ｂの電池電力が閾値より５％落ちると、ＰＤＡ１０７ｂは自分の電力状態情報が入っている短距離無線信号１１０を生成する。
【００６９】
状態情報計算ソフトウェア構成要素４０５は、本発明の或る実施形態では、端末１０７からの状態情報型式値と状態情報に応えて、状態情報を計算する。例えば、状態情報計算ソフトウェア構成要素４０５は、ユーザーが状態情報型式値「作動時間」を選択すると、端末から受信した残存電力状態情報に応えて、端末の残存作動時間を計算する。同様に、状態情報計算ソフトウェア構成要素４０５は、本発明の或る実施形態では、端末から受信した状態情報と選択された閾値との比較に応えて警報状態情報を生成する。
【００７０】
状態情報通知ソフトウェア構成要素４０６は、通知優先値に応えて状態情報を通知し、そして或る実施形態ではそれを表示する。例えば、全ての端末１０７の状態情報は、ユーザーが「全ての」通知優先値を選択するのに応えて、表示装置５１５に表示される。
【００７１】
本発明の或る実施形態では、状態情報通知構成要素４０６は、ネットワーク１１６内の各選択された装置の状態をユーザーに通知する。
【００７２】
本発明の別の実施形態では、状態情報通知構成要素４０６は、ネットワーク１１６内の選択された一組の装置の状態をユーザーに通知する。
【００７３】
本発明の更に別の実施形態では、状態情報通知構成要素４０６は、ネットワーク１１６内の選択された一組の装置の組み合わせ状態、例えば、ＰＤＡ１０７ｂと装置１０６の組合せ作動時間をユーザーに通知する。
【００７４】
或る別の実施形態では、装置１０６は、状態情報入手４０４及び状態情報計算を記憶し実行する。状態情報は、次いで、薄型端末の様な端末から状態情報を提供する場合に、状態情報通知４０６を記憶し実行する薄型端末に転送される。
【００７５】
或る別の実施形態では、端末１０７の中のどの端末も、状態情報入手ソフトウェア構成要素４０４、状態情報計算ソフトウェア構成要素４０５、及び通知ソフトウェア構成要素４０６を記憶し実行する。
【００７６】
本発明の或る別の実施形態では、装置１０６に記憶され実行される状態情報通知ソフトウェア構成要素４０６は、状態情報が入っているビットマップを、端末１０７内の或る端末に提供する。
【００７７】
更に、グラフィクス・ユーザー・インターフェース（ＧＵＩ）４０７は、ユーザーの使い勝手が良いインターフェースになるように設けられている。
【００７８】
図５ａ−ｂ、図６ａ−ｂ、及び図７ａ−ｂは、図１に示す近距離無線ネットワーク１１６内の各種端末の状態情報をユーザーに通知する様子を示している。本発明の或る実施形態では、装置１０６は、表示装置５１５とキーパッド５１６を有するセルラー電話である。本発明の或る実施形態では、ユーザーには、グラフィック要素とテキストを表示装置５１５に与えることにより、状態情報が通知される。状態情報の型式は、図５ａに示す「電力状態」の様な、ラベル５１０によりユーザーに連絡される。本発明の或る実施形態では、状態情報はカラーコード化されたグラフィック要素により提供される。例えば、図５ａは、近距離無線ネットワーク１１６内の端末の「電力状態」情報をユーザーに通知している様子を示している。本発明のこの実施形態では、各端末内の残存電力の各パーセンテージをカラーコード化された棒線で表示している。「１００％」と標示のある緑色の完全棒線５１３は、ユーザーに、時計１０７ａがほぼ１００％充電状態にあることを通知している。「５３％」と標示のある黄色の半分棒線５１４は、ＰＤＡ１０７ｂの電池が半分程度の充電状態であることを通知している。「７７％」と表示された緑色の４分の３の棒線５１１は、ラップトップ１０７ｄの電池は４分の３程度の充電状態であることをユーザーに通知している。「２１％」と標示された赤色の４分の１の棒線は、ヘッドセット１０７ｃの電池は４分の１程度の充電状態であることをユーザーに通知している。本発明の或る実施形態では、緑色の棒線は、特定の端末が十分な電力を有していることを示している。本発明の或る実施形態では、黄色の棒線は、端末の電池がまもなく交換又は再充電する必要があることを示しており、赤色の棒線は、端末の電池がすぐに交換する必要があることを示している。カラーコード化された棒線は、電池の再充電又は交換が必要な端末はどれかを、ユーザーが簡単に目で確認できるようにしている。
【００７９】
別の実施形態では、カラーコード化された発光ダイオード（ＬＥＤ）が装置１０６及び／又は端末１０７上に配置されており、同じように状態情報をユーザーに通知する。
【００８０】
図５ｂは、状態情報を選択的に標示する様子を示している。例えば、黄色の棒線５１１と赤色の棒線５１２が選択的に標示され、ＰＤＡ１０７ｂとヘッドセット１０７ｃそれぞれの電力状態を表している。状態情報を選択的に表示すると、ユーザーに他の情報を提供するのに利用できる表示空間５１５がもっと広くなる。更に、ユーザーの介在が必要か又は必要となるときに状態情報を選択的に表示することにより、近距離無線ネットワーク１１６を効率的且つ効果的に保守できるようになる。ユーザーは、電力状態警報が生成されるまで、電池の交換又はチェックすることを心配しなくてもよい。
【００８１】
本発明の或る実施形態では、警報状態情報が図５ｂに表示される。状態情報閾値より下がった端末の事象又は状態情報に応えて、警報状態情報が生成される。例えば、ＰＤＡ１０７ｂの電池が閾値の６０％より下に下がると、電力状態警報信号が黄色の棒線５１１の形で表示装置５１５に表示される。本発明の或る実施形態では、警報信号は短距離無線信号１１０として端末１０７により装置１０６に送信される。本発明の別の実施形態では、状態情報が短距離無線信号により装置１０６に送信され、装置１０６は、表示装置５１５上に警報を生成する際には状態情報を記憶されている閾値と比較する。
【００８２】
図６ａ−ｂは、状態情報、具体的には、「受信信号の品質」標示６１０として識別される端末受信信号の品質を標示している様子を示している。図６ａ−ｂは、図５ａ−ｂと同様に、近距離無線ネットワーク１１６内の各端末の受信信号の品質を表示している様子を示している。カラーコード化された棒線６１１−６１３及び「信号なし」のテキスト１１４は、近距離無線ネットワーク１１６内の各端末の信号受信をユーザーに通知している。こうして、ユーザーは、最大の信号受信のための端末の最適な物理的方位を識別することができる。更に、ユーザーは、端末が、位置を変え又は移動して近距離無線ネットワーク１１６から更に離れると、近距離無線ネットワーク１１６との通信が断たれてしまうかどうかを、実際の受信が劣化又は失われる前に判定することができる。
【００８３】
図７ａ−ｂは、計算された状態情報、具体的には「残存作動時間」標示７１０として識別される各端末の残存作動時間を表示している様子を示している。本発明の別の実施形態では、残存通話時間及び／又は待機時間が提示される。図７ａ−ｂは、図５ａ−ｂ並びに図６ａ−ｂと同じように、近距離無線ネットワーク１１６内の各端末の残存作動時間を示している。残存作動時間７１１−７１４は、近距離無線ネットワーク１１６内の各端末の残存作動時間をユーザーに通知する。例えば、ラップトップ１０７ｄは、残存作動時間が２２分である。こうして、ユーザーは、ラップトップの電池が十分な電力を提供できなくなって貴重な電子ファイルが失われてしまう前に、ラップトップの電池を交換するか、又はラップトップ１０７ｄを電源に接続することができる。
【００８４】
図８ａ−ｂは、本発明の或る実施形態による、近距離無線ネットワーク１１６内の状態情報を入手するための方法８００を示している。或る実施形態では、方法８００は、図４に示す状態情報入手ソフトウェア構成要素４０４、状態情報計算ソフトウェア構成要素４０５、及び状態情報通知ソフトウェア構成要素４０６により実行される。本発明の或る実施形態では、図８ａ−ｂに示す論理ボックス又は段階は、ソフトウェアプログラム、ソフトウェアオブジェクト、ソフトウェア関数、ソフトウェアサブルーチン、ソフトウェア方法、ソフトウェアインスタンス、コードフラグメントの様なソフトウェアの単独又は組み合わせた実行を表している。本発明の或る別の実施形態では、論理ボックス又は段階は、ソフトウェア構成要素、ハードウェアオペレーション、又はユーザーオペレーションの、単独又は組み合わせての実行を表している。本発明の或る実施形態では、方法８００内で実行される論理ボックス又は段階の数は多くても少なくてもよい。
【００８５】
図８ａ−ｂに示すように、デフォルト状態情報閾値、型式、及び通知優先値は、論理ブロック８０１に示すように記憶される。図１に示すサーバ１０２は、本発明の或る実施形態では、これらの値をダウンロードする。本発明の或る別の実施形態では、これらの値は製造業者及び／又は再販業者により装置１０６に記憶される。本発明の或る実施形態では、デフォルト状態情報閾値、型式、及び通知優先値は、図３ａに示すＦＬＡＳＨ３０２の様な恒久的記憶装置に記憶される。
【００８６】
状態情報閾値は、状態情報を何時ユーザーに提供するかを判定するのに使用される事前に設定された値である（状態情報は、下に説明する通知優先値により通知が選択されているものと仮定する）。例えば、装置１０６のユーザー、再販業者、及び／又は製造業者は、近距離無線ネットワーク１１６内の端末の電池電力状態情報をユーザーに提供すべきか否かの判定時に状態情報計算ソフトウェア構成要素４０５が使用することになる、６０％の電池電力閾値を記憶することができる。近距離無線ネットワーク１１６は、多数の端末を含んでいる。全端末の電力状態を比較的小さな表示装置５１５に示すのは容易なことではない。更に、ユーザーは、切迫した再充電又は電池交換が求められる端末にしか興味がないかもしれない。例えば、図５ｂは、６０％という閾値が採用された場合のＰＤＡ１０７ａとＨｄｓｔ１０７ｃの電力状態情報を示している。時計１０７ａ及びラップトップ１０７ｄの様な適切な電力が入手できる端末は、ユーザーには示されない。この様に、ユーザーは、不要な情報に煩わされることはなく、また表示装置５１５は、ユーザーに他の情報を提供するために利用できる画面空間を有している。
【００８７】
状態情報型式値は、どんな種類の状態情報をユーザーに提供するかを判断するのに使用される事前設定値である。例えば、ユーザーは、近距離無線ネットワーク１１６内のラップトップ１０７ｄの利用可能な作動時間を知ることに興味があっても、ラップトップ１０７ｄの利用可能な電力の量を知ることには必ずしも興味があるわけではないかもしれない。しかしながら、ラップトップ１０７は、短距離無線信号１１０で、装置１０６にラップトップ１０７ｄの残存電池電力を提供するだけでよい。本発明の或る実施形態では、装置１０６の製造業者、再販業者、又はユーザーは、状態情報型式値を記憶することができる。状態情報計算ソフトウェア構成要素４０５は、状態情報型式値に応じて状態情報を計算する。例えば、状態情報計算ソフトウェア構成要素４５０は、「作動時間」状態情報型式値と、ラップトップ１０７ｄから短距離無線信号で受信した電池状態情報に応じて、ラップトップ１０７ｄの利用可能な作動時間を計算する。本発明の或る実施形態では、ラップトップ１０７ｄの残存作動時間は、ラップトップ１０７ｄから得られた利用可能電池電力状態情報の平均を求めることにより計算される。次に、平均サンプルを外挿して、ラップトップ１０７ｄの残存作動時間が得られる。同様に、受信信号の品質は、「信号強度」状態情報型式値と、近距離無線ネットワーク１１６内の端末により提供された信号強度状態情報に応じて計算することができる。本発明の或る別の実施形態では、受信信号の品質は、端末の受信信号のビットエラー率、又は受信信号の強度と受信信号のビットエラー率の組み合わせ、を得ることにより計算することができる。
【００８８】
状態情報通知優先値は、どの状態情報をユーザーに提供するかを判定するのに使用される事前設定値である。例えば、装置１０６のユーザー、再販業者、及び／又は製造業者は、近距離無線ネットワーク１１６内の全端末の状態情報をユーザーに通知する際に、状態情報通知ソフトウェア構成要素４０６が使用することになる「全」値を記憶することができる。しかしながら、近距離無線ネットワーク１１６は、多数の端末を含んでいて、ユーザーは或る端末の状態情報を表示させることにしか興味がないかもしれない。例えば、ユーザーは、ヘッドセット１０７ｃの信号品質の様な、特定の端末の特定の状態情報を見ることしか希望しないかもしれない。従って、本発明の或る実施形態では、ユーザーは「Ｈｄｓｔ／信号強度」状態情報通知優先値をセットして、ヘッドセット１０７ｃの信号品質しか標示されないようにすることができるようになっている。
【００８９】
本発明の別の実施形態では、状態情報通知ソフトウェア構成要素４０６は、装置１０６の音声警報又は振動で状態情報をユーザーに通知する。本発明の或る別の実施形態では、状態情報通知ソフトウェア構成要素４０６は、１つ又は複数の端末１０７を振動させることによりユーザーに通知する。本発明の更に別の実施形態では、状態情報ソフトウェア構成要素４０６は、ｅメール又はメッセージを生成することによりユーザーに通知する。
【００９０】
図８ａに戻るが、本発明の或る実施形態では、ユーザーに状態情報閾値を促すことについて論理ブロック８０２で判定が行われる。プロンプトは、本発明の或る実施形態では、表示装置５１５上に提示される。本発明の或る実施形態では、複数の閾値が入力される。ユーザーが肯定入力をした場合、論理ブロック８０３内で、状態情報閾値が記憶され、デフォルト閾値をオーバーライドする。
【００９１】
論理ブロック８０３、８０４、８０６、８０７は、本発明の或る実施形態では、状態情報の型式及び通知の優先値についても同様にプロンプトしオーバーライドする。
【００９２】
端末１０７からの状態情報は、本発明の或る実施形態では、論理ブロック８０８に示されるように入手される。
【００９３】
同じく、状態情報は、本発明の或る実施形態では、論理ロジック８０９に示すように計算される。
【００９４】
そして、状態情報は、本発明の或る実施形態では、論理ブロック８１０に示すようにユーザーに通知され、方法８００はこうして終了する。
【００９５】
IV．結論
以上、本発明の好適な実施形態について、実証と説明を目的として説明してきた。これは、本発明を網羅し、或いは開示された形態そのものに本発明を限定しようとするものではない。当業者には自明なように、多くの変更及び変形を加えることができる。上記実施形態は、本発明の原理とその実際の用途を最も良く説明し、当業者が、本発明を理解し、特定の用途に適した各種実施形態及び各種変更について考えることができるようにするために選択し説明したものである。本発明の範囲は、特許請求の範囲に述べる内容及びそれらの等価物により定義されるものとする。
【図面の簡単な説明】
【００９６】
【図１】本発明の或る実施形態のシステムを示している。
【図２】本発明の或る実施形態による薄型端末及び無線装置を示す。
【図３ａ】本発明の或る実施形態による装置のハードウェアブロック図である。
【図３ｂ】本発明の或る実施形態による装置のハードウェアブロック図である。
【図４】本発明の或る実施形態による、近距離ネットワーク内で状態情報を提供するためのソフトウェアブロック図アーキテクチャである。
【図５ａ】本発明の或る実施形態による、近距離無線ネットワーク内の装置の状態情報、具体的には電力状態を提供している様子を示している。
【図５ｂ】本発明の或る実施形態による、近距離無線ネットワーク内の装置の状態情報、具体的には電力状態を提供している様子を示している。
【図６ａ】本発明の或る実施形態による、近距離無線ネットワーク内の装置の状態情報、具体的には受信信号の品質を提供している様子を示している。
【図６ｂ】本発明の或る実施形態による、近距離無線ネットワーク内の装置の状態情報、具体的には受信信号の品質を提供している様子を示している。
【図７ａ】本発明の或る実施形態による、近距離無線ネットワーク内の装置の状態情報、具体的には計算された残存作動時間を提供している様子を示している。
【図７ｂ】本発明の或る実施形態による、近距離無線ネットワーク内の装置の状態情報、具体的には計算された残存作動時間を提供している様子を示している。
【図８ａ】本発明の或る実施形態による、近距離無線ネットワーク内の装置の状態情報を提供する段階を示すフローチャートである。
【図８ｂ】本発明の或る実施形態による、近距離無線ネットワーク内の装置の状態情報を提供する段階を示すフローチャートである。
【図１】
2005533401.tif 000003
【図２】
2005533401.tif 000004
【図３ａ】
2005533401.tif 000005
【図３ｂ】
2005533401.tif 000006
【図４】
2005533401.tif 000007
【図５ａ−５ｂ】
2005533401.tif 000008
【図６ａ−６ｂ】
2005533401.tif 000009
【図７ａ−７ｂ】
2005533401.tif 000010
【図８ａ】
2005533401.tif 000011
【図８ｂ】
2005533401.tif 000012
【国際調査報告】
2005533401.tif 000013
2005533401.tif 000014